(57)【要約】【課題】連結板の剛性を高めることができ、該連結板を片手で容易に取付けることができ、しかも、緩衝体を適正位置に容易に位置決めすることができるとともに、位置決め状態を維持することができる緩衝装置及びこれを備えるテレビ装置を提供する。【解決手段】段ボール箱１内に収容される端緩衝体３及び中央緩衝体５を連結する連結板６を、弾性復元を可能に略Ｖ字形に折曲げて矩形をなす二つの折曲板部６１を有する構成とし、各折曲板部６１の両端部に、幅方向へ窪む第１の被係止部６２，６２ａを設け、各折曲板部６１の両端部が前記幅方向から嵌入される嵌入孔３１，５１及び各折曲板部６１の弾性復元により嵌入孔３１，５１内で第１の被係止部６２，６２ａを係止し、折曲板部６１の幅方向への移動を阻止する係止凸部３２，５２を端緩衝体３及び中央緩衝体５に設けた。【選択図】図１
2008184164.tif 000002
【特許請求の範囲】
【請求項１】
箱体内に離隔して収容される二つの緩衝体と、略矩形をなし、各緩衝体を連結する連結板とを備える緩衝装置において、前記連結板は、幅方向の途中で弾性復元を可能に略Ｖ字形に折曲げられ、略矩形をなす二つの折曲板部、及び各折曲板部の長手方向両端部で幅方向へ窪む第１の被係止部を有し、前記各緩衝体は、前記各折曲板部の両端部が該折曲板部の幅方向から嵌入される嵌入孔、及び前記各折曲板部の弾性復元により前記嵌入孔内で前記第１の被係止部を係止し、前記折曲板部の幅方向への移動を阻止する係止凸部を有することを特徴とする緩衝装置。
【請求項２】
前記緩衝体は、前記嵌入孔内で前記係止凸部と並置され、前記各折曲板部の弾性復元を規制する二つの規制部を有する請求項１記載の緩衝装置。
【請求項３】
前記二つの折曲板部の両端部は、前記第１の被係止部より長手方向中央側で、且つ二つの折曲板部の折曲部を欠除してなる第２の被係止部を有し、前記緩衝体は前記第２の被係止部を係止し、前記連結板の長手方向への移動を阻止する係止部を有する請求項１又は２記載の緩衝装置。
【請求項４】
略直方体をなす段ボール箱と、該段ボール箱内に収容されている薄型テレビと、該薄型テレビの上部及び前記段ボール箱の上部内面との間に収容される請求項１乃至３のいずれか一つに記載の緩衝装置とを備えることを特徴とするテレビ装置。
【発明の詳細な説明】
【技術分野】
【０００１】
本発明は段ボール箱等の箱体に収容して包装される電気機器などの被包装物に外部から加わる力を緩衝するための緩衝装置、及びこれを備えるテレビ装置に関する。
【背景技術】
【０００２】
薄型テレビ等の電気機器を段ボール箱に収容して包装する場合、電気機器の下部外面と段ボール箱の下部内面との間、及び電気機器の上部外面と段ボール箱の上部内面との間に複数の緩衝体を配置し、外部から段ボール箱を経て電気機器に加わる力を緩衝するように構成されている。
【０００３】
図１５は従来のテレビ装置、及びこれに用いられる緩衝装置の構成を示す斜視図である。比較的大形の薄型テレビを備えるテレビ装置にあっては、薄型液晶テレビ１００の上両端部及び上中央部と直方体をなす段ボール箱１０１の上部内面との間に二つの端緩衝体１０２，１０３、中央緩衝体１０４が配置されている。二つの端緩衝体１０２，１０３は薄型液晶テレビ１００の角部が嵌入される断面Ｌ字形の凹所が内側に設けられているため、段ボール箱１０１内で横方向への移動は規制される。また、中央緩衝体１０４は薄型液晶テレビ１００の横方向中央部が嵌入される断面Ｕ字形の凹所が設けられているに過ぎないため、段ボール箱１０１内で横方向へ移動し、位置が安定しない。因って、中央緩衝体１０４の上面に係止凹部１０５を設ける一方、段ボール箱１０１の内形に対応する大きさの段ボール紙の中央部に、前記係止凹部１０５に嵌入される舌片１０６を切起し可能に設けてなる移動規制板１０７を端緩衝体１０２，１０３及び中央緩衝体１０４の上面に載置することにより、移動規制板１０７の位置を決め、中央緩衝体１０４が段ボール箱１０１内で移動するのを規制するように構成されている。
【０００４】
また、電気洗濯機の緩衝装置として、電気洗濯機の上四隅部に嵌合される四つの緩衝体に第１及び第２の鈎部を有する嵌入溝を設ける一方、矩形をなし、長手方向中央部が平面視で＜形に折曲げられている段ボール紙の両端部に、二つの緩衝体の嵌入溝に嵌入され、且つ前記第１の鈎部に係止される第３の鈎部及び第２の鈎部に係止される舌片を有する連結板を設けることにより、二つの緩衝体同士を二つの連結板が連結するように構成されたものも知られている（例えば、特許文献１参照。）。
【特許文献１】特開昭６１−１７８８８２号公報
【発明の開示】
【発明が解決しようとする課題】
【０００５】
ところが、図１５に示された緩衝装置及びテレビ装置にあっては、段ボール箱１０１の内形に対応する大きさの移動規制板１０７を必要とするため、移動規制板１０７の材料費が高くなり、緩衝装置のコストが増加することになる。また、移動規制板１０７の舌片１０６は切起しされているだけであるため、この舌片１０６の切起し位置が不安定であり、移動規制板１０７を取付ける際に舌片１０６を係止凹部１０５に嵌入し難く、移動規制板１０７の取付作業性が悪いという問題がある。また、移動規制板１０７の材料費を低減すべく移動規制板１０７を細幅に形成した場合、移動規制板１０７に反りが発生し易くなり、段ボール箱１０１の上側フラップが閉じられるまで段ボール箱１０１に対する移動規制板１０７の位置を維持することが困難になるし、また、舌片１０６が係止凹部１０５から抜出すことになり、段ボール箱による薄型テレビの包装作業能率が低下する。
【０００６】
また、特許文献１に記載されている緩衝装置にあっては、比較的細幅の段ボール紙を平面視で＜形に折曲げ、該段ボール紙の両端部に鈎部及び舌片が設けられているに過ぎないため、例えば図１５に示すように二つの端緩衝体及び中央緩衝体を有する構成において、中央緩衝体の端緩衝体、換言すると段ボール箱に対する移動を規制する場合、連結板の両端部を両手で把持しないことには該両端部を嵌入溝に嵌入することができず、連結板の取付け作業性が悪いし、また、中央緩衝体を位置決めし難いのであり、また、段ボール紙の幅方向両側に鈎部及び舌片が設けられているため、連結板の上下長さ、ひいては連結板が収容される段ボール箱の高さが高くなり、段ボール箱が大形になるという問題がある。
【０００７】
本発明は斯かる事情に鑑みてなされたものであり、主たる目的は略矩形をなす連結板を、幅方向の途中で弾性復元を可能に略Ｖ字形に折曲げて二つの折曲板部、及び各折曲板部の長手方向両端部で幅方向へ窪む第１の被係止部を有する構成とし、各緩衝体を、前記各折曲板部の両端部が前記幅方向から嵌入される嵌入孔、及び前記各折曲板部の弾性復元により前記嵌入孔内で前記第１の被係止部を係止し、前記折曲板部の幅方向への移動を阻止する係止凸部を有する構成とすることにより、比較的少ない材料で形成することができる連結板の剛性を高めることができ、該連結板を片手で容易に取付けることができ、しかも、緩衝体を適正位置に容易に位置決めすることができるとともに、位置決め状態を維持することができる緩衝装置を提供することにある。
【０００８】
また、他の目的は前記嵌入孔内で前記係止凸部と並置され、前記各折曲板部の弾性復元を規制する二つの規制部を緩衝体に設けることにより、箱体に対する連結板のガタつきをなくすることができるとともに、緩衝体の位置決め状態をより一層強く維持することができる緩衝装置を提供することにある。
【０００９】
また、他の目的は前記二つの折曲板部の両端部に、前記第１の被係止部より長手方向中央側で、且つ二つの折曲板部の折曲部を欠除してなる第２の被係止部を設け、前記第２の被係止部を係止し、前記連結板の長手方向への移動を阻止する係止部を緩衝体に設けることにより、緩衝体の位置決め状態を一つの連結板により確実に維持することができる緩衝装置を提供することにある。
【００１０】
また、他の目的は略直方体をなす段ボール箱内に薄型テレビと上述の緩衝装置とを収容することにより、連結板を片手で容易に取付けることができることと相俟って段ボール箱による薄型テレビの包装作業能率を向上できるテレビ装置を提供することにある。
【課題を解決するための手段】
【００１１】
本発明に係る緩衝装置は、箱体内に離隔して収容される二つの緩衝体と、略矩形をなし、各緩衝体を連結する連結板とを備える緩衝装置において、前記連結板は、幅方向の途中で弾性復元を可能に略Ｖ字形に折曲げられ、略矩形をなす二つの折曲板部、及び各折曲板部の長手方向両端部で幅方向へ窪む第１の被係止部を有し、前記各緩衝体は、前記各折曲板部の両端部が該折曲板部の幅方向から嵌入される嵌入孔、及び前記各折曲板部の弾性復元により前記嵌入孔内で前記第１の被係止部を係止し、前記折曲板部の幅方向への移動を阻止する係止凸部を有することを特徴とする。
【００１２】
この発明にあっては、略矩形をなす二つの折曲板部により連結板が形成されているため、連結板を比較的少ない材料で形成することができ、また、連結板は略Ｖ字形に折曲げられているため、連結板の剛性を高めることができ、該連結板を片手で容易に取付けることができる。しかも、連結板の両端部に設けてある第１の被係止部を嵌入孔に嵌入することにより緩衝体を適正位置に容易に位置決めすることができるとともに、折曲板部の弾性復元力により連結板の長手方向への移動、換言すると緩衝体の離隔方向への移動に抵抗を加えることができ、緩衝体の位置決め状態を維持することができる。また、略Ｖ字形に折曲げられている連結板の幅寸法を短くでき、連結板が収容される箱体を小形化できる。
【００１３】
また、本発明に係る緩衝装置は、前記緩衝体は、前記嵌入孔内で前記係止凸部と並置され、前記各折曲板部の弾性復元を規制する二つの規制部を有することを特徴とする。
【００１４】
この発明にあっては、各折曲板部の弾性復元を二つの規制部が規制しているため、箱体に対する連結板のガタつきをなくすることができる。しかも、各折曲板部の弾性復元により各折曲板部が規制部に弾圧され、連結板の長手方向への移動、換言すると緩衝体の離隔方向への移動により一層大きい抵抗を加えることができ、緩衝体の位置決め状態をより一層強く維持することができる。
【００１５】
また、本発明に係る緩衝装置は、前記二つの折曲板部の両端部は、前記第１の被係止部より長手方向中央側で、且つ二つの折曲板部の折曲部を欠除してなる第２の被係止部を有し、前記緩衝体は前記第２の被係止部を係止し、前記連結板の長手方向への移動を阻止する係止部を有することを特徴とする。
【００１６】
この発明にあっては、連結板の長手方向への移動、換言すると緩衝体の離隔方向への移動を一つの連結板により確実に阻止することができるため、緩衝体の位置決め状態を一つの連結板により確実に維持することができる。
【００１７】
また、本発明に係るテレビ装置は、略直方体をなす段ボール箱と、該段ボール箱内に収容されている薄型テレビと、該薄型テレビの上部及び前記段ボール箱の上部内面との間に収容される上述した発明の緩衝装置とを備えることを特徴とする。
【００１８】
この発明にあっては、二つの折曲板部により連結板が形成されているため、連結板を比較的少ない材料で形成することができ、また、連結板は略Ｖ字形に折曲げられているため、連結板の剛性を高めることができ、該連結板を片手で容易に取付けることができる。しかも、連結板の両端部に設けてある第１の被係止部を嵌入孔に嵌入することにより緩衝体を適正位置に容易に位置決めすることができるとともに、折曲板部の弾性復元力により連結板の長手方向への移動、換言すると緩衝体の離隔方向への移動に抵抗を加えることができ、緩衝体の位置決め状態を維持することができる。従って、連結板を片手で容易に取付けることができることと相俟って段ボール箱による薄型テレビの包装作業能率を向上でき、テレビ装置のコストを低減することができる。また、略Ｖ字形に折曲げられている連結板の幅寸法を短くでき、連結板が収容される段ボール箱、ひいてはテレビ装置を小形化できる。
【発明の効果】
【００１９】
本発明によれば、連結板は略Ｖ字形に折曲げられているため、連結板の剛性を高めることができ、該連結板を片手で容易に取付けることができる。しかも、連結板の両端部に設けてある第１の被係止部を嵌入孔に嵌入することにより緩衝体を適正位置に容易に位置決めすることができるとともに、折曲板部の弾性復元力により連結板の長手方向への移動、換言すると緩衝体の離隔方向への移動に抵抗を加えることができ、緩衝体の位置決め状態を維持することができる。また、略Ｖ字形に折曲げられている連結板の幅寸法を短くでき、連結板が収容される箱体を小形化できる。
【００２０】
また、本発明によれば、各折曲板部の弾性復元を二つの規制部が規制しているため、箱体に対する連結板のガタつきをなくすることができ、しかも、各折曲板部の弾性復元により各折曲板部が規制部に弾圧され、連結板の長手方向への移動、換言すると緩衝体の離隔方向への移動により一層大きい抵抗を加えることができ、緩衝体の位置決め状態をより一層強く維持することができる。
【００２１】
また、本発明によれば、連結板の長手方向への移動、換言すると緩衝体の離隔方向への移動を一つの連結板により確実に阻止することができるため、緩衝体の位置決め状態を一つの連結板により確実に維持することができる。
【００２２】
また、本発明によれば、連結板を片手で容易に取付けることができることと相俟って段ボール箱による薄型テレビの包装作業能率を向上でき、テレビ装置のコストを低減することができる。
【発明を実施するための最良の形態】
【００２３】
以下本発明をその実施の形態を示す図面に基づいて詳述する。
実施の形態１
図１は本発明に係るテレビ装置、及びこれに用いられる緩衝装置の構成を示す斜視図、図２は要部の構成を示す拡大斜視図、図３は緩衝装置の構成を示す斜視図、図４は二つの緩衝体と連結板との関連構成を示す斜視図、図５は連結板が緩衝体の嵌入孔に嵌入されている状態の拡大断面図、図６は図５のVI−VI線の断面図である。
【００２４】
図に示したテレビ装置は上部に開閉が可能な四つのフラップ１ａ〜１ｄを有し、略直方体をなす段ボール箱１と、該段ボール箱１内に収容される薄型液晶テレビ２と、該薄型液晶テレビ２の上両端部と段ボール箱１の上部内面との間に配置される二つの端緩衝体３，４と、薄型液晶テレビ２の上中央部と段ボール箱１の上部内面との間に配置される中央緩衝体５と、一方の端緩衝体３及び中央緩衝体５を連結する連結板６とを備える。端緩衝体３，４及び中央緩衝体５は発泡スチロール材を成形してなる。また、段ボール箱１が箱体を構成している。
【００２５】
図７の(a) は連結板の未折曲状態の構成を示す平面図、図７の(b) は連結板の折曲状態の構成を示す正面図である。連結板６は、段ボール紙を略矩形に切断してなり、幅方向中央の折曲部６ａで弾性復元を可能に略Ｖ字形に折曲げられ、略矩形をなす二つの折曲板部６１，６１と、各折曲板部６１，６１の両端部で幅方向へ窪む第１の被係止部６２，６２、６２ａ，６２ａと、第１の被係止部６２，６２、６２ａ，６２ａより長手方向中央側で、且つ二つの折曲板部６１，６１の折曲部６ａを欠除してなる第２の被係止部６３，６３ａとを有する。尚、連結板６は図７に示すように幅方向中央部に薄肉の折曲部６ａを有し、長手方向両端部の幅方向両縁に第１の被係止部６２，６２、６２ａ，６２ａを有し、長手方向両端部の折曲部６ａに第２の被係止部６３，６３ａを有する略矩形の段ボール紙からなり、この段ボール紙を折曲部６ａで折曲げることにより形成される。第２の被係止部６３，６３ａは予め切抜いてある構成とする他、予め切目を枠状に設けた構成とし、使用時に切目から切抜くことができる構成としてもよい。
【００２６】
図８は端緩衝体の構成を示す平面図、図９は図８のIX−IX線の断面図、図１０は図８のX −X 線の断面図である。端緩衝体３，４は薄型液晶テレビ２の角部が嵌入される断面Ｌ字形の凹所３ａ，４ａを下部に有する。また、一方の端緩衝体３は折曲板部６１，６１の一端部（連結板６の一端部）が幅方向から嵌入される嵌入孔３１を上部に有する。中央緩衝体５は薄型液晶テレビ２の横方向中央部が嵌入される断面Ｕ字形の凹所５ａを下部に有し、折曲板部６１，６１の他端部（連結板６の他端部）が幅方向から嵌入される嵌入孔５１を上部に有する。
【００２７】
嵌入孔３１，５１は端緩衝体３及び中央緩衝体５の上面３ｂ，５ｂと内側面３ｃ，５ｃとに開放されており、該嵌入孔３１，５１の内側に、各折曲板部６１，６１の弾性復元により第１の被係止部６２，６２、６２ａ，６２ａを係止し、折曲板部６１，６１の幅方向への移動を阻止する二つの係止凸部３２，５２、及び係止凸部３２，５２と連結板６の長手方向へ並置され、各折曲板部６１，６１の弾性復元を規制する二つの規制部３３，５３を並置してある。
【００２８】
係止凸部３２，５２は、嵌入孔３１，５１を下方へ貫通させることにより一体に形成されている。具体的には、端緩衝体３及び中央緩衝体５の上部を成形する上型と、端緩衝体３及び中央緩衝体５の下部を成形する下型とにより嵌入孔３１，５１を貫通させ、係止凸部３２，５２を形成してある。
【００２９】
規制部３３，５３は連結板６の断面形状に対応して略Ｖ字形をなす面からなり、端緩衝体３及び中央緩衝体５の上部を成形する上型により形成されている。
【００３０】
また、端緩衝体３及び中央緩衝体５には規制部３３，５３の両側縁に連なり、第２の被係止部６３、６３ａを係止して連結板６の長手方向への移動を阻止する係止部３４，５４を設けてある。具体的には嵌入孔３１，５１の貫通部内面３ｄ，５ｄ及び内側面３，５ｃの間で、且つ規制部３３，５３の両側縁に連なる部分を係止部３４，５４としてある。
【００３１】
以上のように構成された緩衝装置は、段ボール箱１内に上方から収容される薄型液晶テレビ２の上両端部と段ボール箱１の上部内面との間に二つの端緩衝体３，４が配置され、薄型液晶テレビ２の上中央部と段ボール箱１の上部内面との間に中央緩衝体５が配置される。二つの端緩衝体３，４は薄型液晶テレビ２の角部と段ボール箱１の上部内面との間で位置保持され、段ボール箱１に対する移動が阻止される。
【００３２】
この後、略Ｖ字形に折曲げられている連結板６の中央部が折曲板部６１，６１の弾性復元力に打勝って片手で把持され、該連結板６の一端部が端緩衝体３の嵌入孔３１に、また、連結板６の他端部が中央緩衝体５の嵌入孔５１に夫々嵌入されることにより、端緩衝体３に対する中央緩衝体５の位置を決めることができ、この位置で中央緩衝体５の移動を防ぐことができる。即ち、連結板６の両端部が嵌入孔３１，５１に嵌入されることにより、第２の被係止部６３、６３ａが係止部３４，５４に係止されるとともに、折曲板部６１，６１が弾性復元し、第１の被係止部６２，６２、６２ａ，６２ａが係止凸部３２，５２に係止され、各折曲板部６１，６１が規制部３３，５３に接触し、各折曲板部６１，６１の弾性復元を規制する。
【００３３】
第１の被係止部６２，６２、６２ａ，６２ａが係止凸部３２，５２に係止されることにより、連結板６が嵌入孔３１，５１から上方へ抜出るのを防ぐことができ、第２の被係止部６３，６３ａが係止部３４，５４に係止されることにより、端緩衝体３と中央緩衝体５との離隔方向への相対移動を確実に防ぐことができ、端緩衝体３に対する中央緩衝体５の位置を維持することができる。
【００３４】
また、折曲板部６１，６１の弾性復元力が規制部３３，５３に加わっているため、連結板６のガタつきをなくすることができる。
【００３５】
実施の形態２
図１１は本発明に係るテレビ装置、及びこれに用いられる緩衝装置の構成を示す斜視図、図１２は緩衝装置の構成を示す斜視図、図１３は二つの緩衝体と連結板との関連構成を示す斜視図、図１４の(a) は連結板の未折曲状態の構成を示す平面図、図１４の(b) は連結板の折曲状態の構成を示す正面図である。この緩衝装置は、実施の形態１における第２の被係止部６３，６３ａをなくし、一方の端緩衝体３と中央緩衝体５、及び他方の端緩衝体４と中央緩衝体５とを二つの連結板６，６により連結する構成としたものである。
【００３６】
他方の端緩衝体４には内側に係止凸部４２及び規制部４３を有する嵌入孔４１を設けてあり、中央緩衝体５には内側に係止凸部５２及び規制部５３を有する嵌入孔５１，５１を並置してあり、二つの連結板６，６の各折曲板部６１，６１の両端部には第１の被係止部６２，６２、６２ａ，６２ａが設けられている。
【００３７】
この緩衝装置にあっては、折曲板部６１，６１の弾性復元力に打勝って片手で把持される一方の連結板６の一端部が端緩衝体３の嵌入孔３１に、また、他端部が中央緩衝体５の嵌入孔５１に夫々嵌入されることにより、端緩衝体３に対する中央緩衝体５の位置を決めることができる。
【００３８】
また、折曲板部６１，６１の弾性復元力に打勝って片手で把持される他方の連結板６の一端部が端緩衝体４の嵌入孔４１に、また、他端部が中央緩衝体５の嵌入孔５１に夫々嵌入されることにより、一方の連結板６によって位置決めされた中央緩衝体５の前記離隔方向への移動を確実に防ぐことができる。
【００３９】
即ち、一方の連結板６の両端部が嵌入孔３１，５１に嵌入されることにより、折曲板部６１，６１が弾性復元し、第１の被係止部６２，６２、６２ａ，６２ａが係止凸部３２，５２に係止され、各折曲板部６１，６１が規制部３３，５３に接触し、各折曲板部６１，６１の弾性復元を規制する。また、他方の連結板６の両端部が嵌入孔４１，５１に嵌入されることにより、折曲板部６１，６１が弾性復元し、第１の被係止部６２，６２、６２ａ，６２ａが係止凸部４２，５２に係止され、各折曲板部６１，６１が規制部３３，５３に接触し、各折曲板部６１，６１の弾性復元を規制する。
【００４０】
尚、以上説明した実施の形態では略矩形をなす連結板６の長手方向への移動を阻止する手段として、二つの折曲板部６１，６１の折曲部６ａに第２の被係止部６３，６３ａを設け、この第２の被係止部６３，６３ａを係止するための係止部３４，５４を規制部３３，５３の両側縁に連なる部分に設けたが、その他、例えば第１の被係止部６２，６２、６２ａ，６２ａに凹状又は凸状の第２の被係止部を設け、該第２の被係止部に係合する凸状又は凹状の係止部を係止凸部３２，５２に設けて連結板６の長手方向への移動を阻止するように構成してもよいし、また、断面略Ｖ字形をなす規制部３３，５３の途中に凹状又は凸状の第２の被係止部を設け、該第２の被係止部に係合する凸状又は凹状の係止部を折曲板部６１，６１に設けて連結板６の長手方向への移動を阻止するように構成してもよい。
【００４１】
また、本発明に係るテレビ装置は薄型液晶テレビを備える構成である他、薄型プラズマテレビを備える構成であってもよい。
【図面の簡単な説明】
【００４２】
【図１】本発明に係るテレビ装置、及びこれに用いられる緩衝装置の構成を示す斜視図である。
【図２】本発明に係る緩衝装置の要部の構成を示す拡大斜視図である。
【図３】本発明に係る緩衝装置の構成を示す斜視図である。
【図４】本発明に係る緩衝装置の二つの緩衝体と連結板との関連構成を示す斜視図である。
【図５】本発明に係る緩衝装置の連結板が緩衝体の嵌入孔に嵌入されている状態の拡大断面図である。
【図６】図５のVI−VI線の断面図である。
【図７】本発明に係る緩衝装置の連結板の構成を示すもので、(a) は未折曲状態の構成を示す平面図、(b) は折曲状態の構成を示す正面図である。
【図８】本発明に係る緩衝装置の端緩衝体の構成を示す平面図である。
【図９】図８のIX−IX線の断面図である。
【図１０】図８のX −X 線の断面図である。
【図１１】本発明に係るテレビ装置、及びこれに用いられる緩衝装置の構成を示す斜視図である。
【図１２】本発明に係る緩衝装置の構成を示す斜視図である。
【図１３】本発明に係る緩衝装置の二つの緩衝体と連結板との関連構成を示す斜視図である。
【図１４】本発明に係る緩衝装置の連結板の構成を示すもので、(a) は未折曲状態の構成を示す平面図、(b) は連結板の折曲状態の構成を示す正面図である。
【図１５】従来のテレビ装置、及びこれに用いられる緩衝装置の構成を示す斜視図である。
【符号の説明】
【００４３】
１    段ボール箱（箱体）
３    端緩衝体（緩衝体）
３１  嵌入孔
３２  係止凸部
３３  規制部
３４  係止部
５    中央緩衝体（緩衝体）
５１  嵌入孔
５２  係止凸部
５３  規制部
５４  係止部
６    連結板
６１  折曲板部
６２，６２ａ  第１の被係止部
６３，６３ａ  第２の被係止部
【図１】
2008184164.tif 000003
【図２】
2008184164.tif 000004
【図３】
2008184164.tif 000005
【図４】
2008184164.tif 000006
【図５】
2008184164.tif 000007
【図６】
2008184164.tif 000008
【図７】
2008184164.tif 000009
【図８】
2008184164.tif 000010
【図９】
2008184164.tif 000011
【図１０】
2008184164.tif 000012
【図１１】
2008184164.tif 000013
【図１２】
2008184164.tif 000014
【図１３】
2008184164.tif 000015
【図１４】
2008184164.tif 000016
【図１５】
2008184164.tif 000017